(57)【要約】【課題】  前記衣類の首部を適切な位置で保持することにより、前記首部が型くずれしない状態で前記衣類を吊るすハンガーを提供する。【解決手段】  衣類を吊持するためのハンガー１において、両側に腕部１１が延びるように形成された本体部１０と、縦杆１０１に取り付けられ、前記本体部１０に対して上下方向に摺動可能なように構成された摺動部材２０とを備え、前記摺動部材２０には、上方に延びるように形成されたフック部２５と、前記衣類の首部を挟持するクリップ部２７とを備えた。【選択図】      図１
2005040516.tif 000002
【特許請求の範囲】
【請求項１】
衣類を吊持するためのハンガーにおいて、
両側に腕部が延びるように形成された本体部と、前記本体部上部に取り付けられ、前記本体部に対して上下方向に摺動可能なように構成された摺動部材とを備え、前記摺動部材には、上方に延びるように形成されたフック部と、前記衣類の首部を挟持するクリップ部とを備えたことを特徴とするハンガー。
【請求項２】
前記摺動部材は、左右方向に一定間隔を隔てて配置され、上下方向に延びるように形成された一対の摺動杆と、前記摺動杆同士を接続する接続部材とを備え、前記摺動杆は、その外側面に前記クリップ部を備え、かつ、その内側面が前記本体部上部に摺接されるように構成されたことを特徴とする請求項１記載のハンガー。
【請求項３】
前記摺動杆は、前記本体部上部を嵌合する嵌合部を備えたことを特徴とする請求項２記載のハンガー。
【請求項４】
前記本体部上部は、前記摺動杆と摺接するように上方に延びる形状に形成された一対の縦杆と、前記縦杆の略上端部分に配置され、前記縦杆同士を接続する接続杆とを備えるように構成され、前記摺動杆には、前記摺動杆の上昇時に前記接続杆に下方から掛合するストッパー部が構成されたことを特徴とする請求項２又は３記載のハンガー。
【請求項５】
前記腕部には、前記腕部が延びる方向に摺動して前記腕部の長さを調節する腕部摺動部材が具備されたことを特徴とする請求項１〜４のいずれかに記載のハンガー。
【発明の詳細な説明】
【技術分野】
【０００１】
本発明は、タートルネックのセーター等に代表される衣類を吊るすためのハンガーに関するものである。
【背景技術】
【０００２】
従来、衣類を吊るすためのハンガーとしては、例えば特許文献１に示すものが開示されている。
【０００３】
このハンガーは、左右に延びるハンガー腕が形成されたハンガー本体を具備し、この本体は、上部に形成されたフックと、下端部分に形成された桟部とを備えている。このハンガーを用いて上着を吊るすときは、前記上着の肩部を前記腕部上に配置し、前記上着の首部を前記ハンガー本体の上部に配置する状態で行う。
【特許文献１】特開平１０−１１３２７３号公報（図１）
【発明の開示】
【発明が解決しようとする課題】
【０００４】
前記のハンガーでは、前記衣類の首部を保持する構成が具備されていないため、前記首部を適切な状態に保持することができず、前記首部が型くずれをおこす可能性があった。
【０００５】
そこで本発明は、前記衣類の首部を適切な位置で保持することにより、前記首部が型くずれしない状態で前記衣類を吊るすことが出来るハンガーを提供することを目的とする。
【課題を解決するための手段】
【０００６】
請求項１に記載の発明は、衣類を吊持するためのハンガーにおいて、両側に腕部が延びるように形成された本体部と、前記本体部上部に取り付けられ、前記本体部に対して上下方向に摺動可能なように構成された摺動部材とを備え、前記摺動部材には、上方に延びるように形成されたフック部と、前記衣類の首部を挟持するクリップ部とを備えたことを特徴とするハンガーである。
【０００７】
請求項２に記載の発明は、請求項１記載のハンガーにおいて、前記摺動部材は、左右方向に一定間隔を隔てて配置され、上下方向に延びるように形成された一対の摺動杆と、前記摺動杆同士を接続する接続部材とを備え、前記摺動杆は、その外側面に前記クリップ部を備え、かつ、その内側面が前記本体部上部に摺接されるように構成されたことを特徴とするものである。
【０００８】
請求項３に記載の発明は、請求項２記載のハンガーにおいて、前記摺動杆は、前記本体部上部を嵌合する嵌合部を備えたことを特徴とするものである。
【０００９】
請求項４に記載の発明は、請求項２又は３記載のハンガーにおいて、前記本体部上部は、前記摺動杆と摺接するように上方に延びる形状に形成された一対の縦杆と、前記縦杆の略上端部分に配置され、前記縦杆同士を接続する接続杆とを備えるように構成され、前記摺動杆には、前記摺動杆上昇時に前記接続杆に下方から掛合するストッパー部が構成されたことを特徴とするものである。
【００１０】
請求項５に記載の発明は、請求項１〜４のいずれかに記載のハンガーにおいて、前記腕部には、前記腕部が延びる方向と平行に摺動して前記腕部の長さを調節する腕部摺動部材が具備されたことを特徴とするものである。
【発明の効果】
【００１１】
請求項１に記載のハンガーの構成を採ると、前記衣類の首部を挟持するクリップ部を備えているため、前記衣類の首部をこのハンガーで保持することができる。
【００１２】
さらに、前記クリップ部は、前記本体部に対して上下方向に摺動可能なように構成された摺動部材に備えられているため、前記本体部上部と前記クリップ部との相対距離を任意の長さに調節することが出来る。したがって、前記首部の長さが異なる各種衣類に対し、それぞれの前記首部の長さに合わせて前記本体部上部と前記クリップ部との距離を調節することが出来るため、前記首部の型くずれを確実に防止した状態で、前記衣類を吊るすことが可能となる。
【００１３】
請求項２に記載の発明の構成を採ると、前記摺動杆が左右方向に対し所定の距離を隔てて配置されているため、前記クリップ部同士も一定の距離を隔てて配置されることになり、前記クリップで前記首部の両側部を保持することが可能となる。したがって、前記首部の型くずれをより確実に防止した状態で前記衣類を吊るすことが可能となる。
【００１４】
請求項３に記載の発明の構成を採ると、前記摺動杆と前記本体部上部との摺接状態が外れることを防止できるため、より確実に前記本体部上部と前記クリップ部との距離を調節することが出来る。
【００１５】
請求項４に記載の発明の構成を採ると、前記摺動杆の上昇時に前記摺動杆が前記接続杆に下方から掛合するストッパー部が構成されているため、前記摺動杆が、前記ハンガー部上面から抜けることを防止できる。
【００１６】
請求項５に記載の発明の構成を採ると、前記腕部摺動部材を腕部に対し摺動させることにより、前記衣類の肩部の長さに対応する長さに前記腕部の長さを調節することが出来、前記衣類の型くずれをより確実に防止した状態で吊るすことが可能となる。
【発明を実施するための最良の形態】
【００１７】
本発明の実施形態につき、図１〜図３を用いて説明する。
【００１８】
図１に示す通り、本実施形態のハンガー１は、本体部１０と、摺動部材２０とを備えている。なお、図１においては、摺動部材２０を取り付けていない状態を示しており、摺動部材２０が本体部１０に取り付けられる状態については、想像線で図示するものとする。
【００１９】
本体部１０には、両側に延びるように形成された一対の腕部１１と、各々の腕部１１の先端から下方に向けて延びるように形成された桟部接続部１３と、桟部接続部１３の下端同士が接続させるように形成された桟部１５とを備えている。
【００２０】
また、各々の腕部１１には、腕部１１が延びる方向と平行に摺動して腕部１１の長さを調節する腕部摺動部材１７が嵌合した状態で取り付けられている。なお、腕部摺動部材１７が摺動する位置については、図１において想像線で図示したとおりである。
【００２１】
さらに、本体部１０の上部は、前記摺動部材２０と摺接するように上方に延びる形状に形成された一対の縦杆１０１と、この縦杆１０１の上端部分に配置され、縦杆１０１縦杆同士を接続する接続杆１０３とを備えるように構成されている。
【００２２】
摺動部材２０は、本体部１０の縦杆１０１に摺接し、本体部１０に対して上下方向（図１の矢印方向）に移動可能なものであって、一対の摺動杆２１と、この摺動杆２１同士を接続する接続部２３と、接続部２３の略中央部に取り付けられたフック部２５とを備えている。
【００２３】
以下、摺動部材２０の構造を図２及び図３（ａ）〜（ｃ）を用いて説明する。
【００２４】
なお、図２は、摺動部材２０の正面図、図３（ａ）は、摺動部材２０のＡ−Ａ断面図、図３（ｂ）は、摺動部材２０を下から見た図、図３（ｃ）は、摺動部材２０のＢ−Ｂ断面図である。
【００２５】
摺動部材２０の摺動杆２１は、図２に示すとおり、各々上下方向に延びるように形成され、各摺動杆２１が前記縦杆１０１に摺接可能なように摺動杆２１同士は左右方向に一定間隔を隔てて配置されている。
【００２６】
さらに、摺動杆２１の構成について説明すると、摺動杆２１は、図３（ａ）に示す通り、コの字形状の断面を有し、前記縦杆１０１の外側面に摺接する板状の摺動部２１１と、摺動部２１１の前後両側辺から摺動部２１１と略垂直をなす状態で突出した嵌合部２１３とを備えている。また、摺動杆２１の下端部には、摺動杆２１の上昇時に前記接続杆１０３に下方から掛合するストッパー部２１５が構成されている。このストッパー部２１５は、嵌合部２１３の端部から嵌合部２１３と略直角に突出し、かつ、ストッパー部２１５同士が対向した状態に形成されている。この構成を採れば、図３（ｂ）、（ｃ）に示したとおり、摺動部材２０が本体部１０に取り付けられた状態においては、縦杆１０１は、摺動部２１１、嵌合部２１３及びストッパー部２１５で囲まれた部分に嵌合された状態で配置される。この状態で、摺動杆２１は、その内側面が縦杆１０１に摺接するように構成されている。
【００２７】
摺動部２１１の外側面には、図２に示すように衣類の首部を挟持する為のクリップ部２７が構成されている。このクリップ部２７は、摺動部２１１の上端部分の側面から突出し、かつ、その先端が下方に向けて延びるように形成されている。なお、本実施形態において、クリップ部２７は、摺動部２１１の上端部分の側面に形成されているが、上端部分に限定されるものではなく、摺動部２１１の任意の位置に形成してもよい。
【００２８】
接続部２３は、図２、図３（ｃ）に示したとおり、杆状に形成され、一対の摺動杆２１の上端部同士を接続するように形成されている。さらに、接続部２３の略中央部には、図２、図３（ｂ）に示したとおり、フック部２５を嵌合するための嵌合穴２３１が形成されている。なお、接続部２３は必ずしも杆状に形成する必要はなく、摺動杆２１同士を接続できる形状であれば、特に限定されるものではない。
【００２９】
以下、本発明のハンガー１を使用する時の状況につき、図４、図５を参照しつつ説明する。なお、図５は、図４のハンガー１の摺動部材２０が配置されている周辺を拡大したものである。また、今回は、ハイネックのセーターＳをハンガー１に吊るす状態について説明するが、このハンガー１に吊るす衣類はハイネックのセーターＳに限定されるものでなく、その他首部が長い衣類においても適用可能である。
【００３０】
まず、セーターＳの首部Ｎの長さに合わせて、摺動部材２０を本体部１０に対して上下方向に摺動させる。次に、セーターＳの肩部Ｋの長さに合わせて腕部摺動部材１７を腕部１１に対して摺動させる。最後に、セーターＳの肩部Ｋが腕部１１及び腕部摺動部材１７上に配置され、セーターＳの首部Ｎの端部がクリップ部２７で挟持される状態で、セーターＳをハンガー１に吊るす。なお、摺動部材２０を本体部１０に対して摺動させる作業と、腕部摺動部材１７を腕部１１に対して摺動させる作業は、必ずしも前記の作業手順に限定されるものではなく、いずれの作業を先に行ってもよい。
【００３１】
以上のように、本実施形態のハンガー１の構成を採ると、摺動部材２０の摺動部２１１に前記衣類の首部を挟持するクリップ部２７を備えているため、前記衣類の首部をこのハンガーで保持することができるため、前記首部の型くずれを防止した状態で、前記衣類を吊るすことが可能となる。
【００３２】
さらに、クリップ部２７は、本体部１０に対して上下方向に摺動可能なように構成された摺動部材に備えられているため、前記本体部１０上部とクリップ部２７との距離を任意の長さに調節することが出来る。したがって、前記首部の長さが異なる各種衣類に対し、それぞれの前記首部の長さに合わせて前記本体部１０上部とクリップ部２７との相対距離を調節することが出来るため、前記首部の型くずれを確実に防止した状態で、前記衣類を吊るすことが可能となる。
【００３３】
また、摺動杆２１が左右方向に対し所定の距離を隔てて配置されているため、クリップ部２７同士も一定の距離を隔てて配置されることになり、クリップ部２７で前記首部の両側部を保持することが可能となる。したがって、前記首部の型くずれをより確実に防止した状態で前記衣類を吊るすことが可能となる。
【００３４】
さらに、摺動杆２１は、前記本体部１０上部を嵌合する嵌合部２１３を備えているため、摺動杆２１と前記縦杆１０１との摺接状態が外れることを防止でき、より確実に前記本体部１０上部と前記クリップ部２７との距離を調節することが出来る。
【００３５】
また、摺動杆２１の上昇時に摺動杆２１が接続杆１０３に下方から掛合するストッパー部２１５が構成されているため、摺動杆２１が、縦杆１０１から抜けることを防止できる。
【００３６】
さらに、前記腕部１１が延びる方向に摺動する腕部摺動部材１７を備えているため、前記衣類の肩部の長さに対応する長さに腕部１１の長さを調節することが出来、前記衣類の型くずれをより確実に防止した状態で吊るすことが可能となる。
【図面の簡単な説明】
【００３７】
【図１】本発明の一実施形態のハンガーにかかる正面図である。
【図２】本発明の一実施形態のハンガーにかかる摺動部材の正面図である。
【図３】（ａ）は図２のＡＡ断面図であり、（ｂ）は図２の摺動部材を下から見た図であり、（ｃ）は図２のＢＢ断面図である。
【図４】本発明の一実施形態のハンガーにセーターを吊るした状態を示した図である。
【図５】図４のハンガーの摺動部材周辺を拡大した図である。
【符号の説明】
【００３８】
１  ハンガー
１０  本体部
１１  腕部
１７  腕部摺動部材
２０  摺動部材
２１  摺動杆
２３  接続部（接続部材）
２５  フック部
２７  クリップ部
１０１  縦杆
１０３  接続杆
２１１  摺動部
２１３  嵌合部
２１５  ストッパー部
【図１】
2005040516.tif 000003
【図２】
2005040516.tif 000004
【図３】
2005040516.tif 000005
【図４】
2005040516.tif 000006
【図５】
2005040516.tif 000007